(57)【特許請求の範囲】
【請求項１】
搭載されている定着器を記録材の幅サイズに対応する情報を記憶する記憶部を備えた他の定着器に載せ替えて画像形成を行うことが可能な画像形成装置を制御する制御装置であって、
前記記憶部に記憶された記録材の幅サイズに対応する情報を読み出す読み出し部と、
画像形成すべき記録材の幅サイズに対応する情報を取得する取得部と、
前記読み出し部により読み出された情報と前記取得部により取得された情報に基づいて前記画像形成装置の動作を制御する制御部と、を有し、
前記制御部は、前記取得部により取得された記録材の幅サイズが前記読み出し部により読み出された記録材の幅サイズよりも小さい場合、画像形成動作を禁止し、前記取得部により取得された記録材の幅サイズが前記読み出し部により読み出された記録材の幅サイズよりも大きい場合、画像形成動作を許可すべきか否かの選択を促すように表示部を制御することを特徴とする制御装置。
【請求項２】
前記制御部は、前記取得部により取得された記録材の幅サイズが前記読み出し部により読み出された記録材の幅サイズよりも小さい場合、前記定着器の交換を促すメッセージを前記表示部に表示させることを特徴とする請求項１に記載の制御装置。
【請求項３】
前記制御部は、前記取得部により取得された記録材の幅サイズが前記読み出し部により読み出された記録材の幅サイズよりも小さい場合、前記取得部により取得された記録材の幅サイズと一致する記録材の幅サイズに対応する情報を記憶する記憶部を備えた定着器への交換を促すメッセージを前記表示部に表示させることを特徴とする請求項２に記載の制御装置。
【請求項４】
前記制御部は、前記取得部により取得された記録材の幅サイズが前記読み出し部により読み出された記録材の幅サイズよりも大きい場合、画像形成動作を許可させるためのキーと、画像形成動作を許可させないためのキーと、を前記表示部に表示させることを特徴とする請求項１乃至３のいずれか一項に記載の制御装置。
【請求項５】
前記画像形成装置は前記表示部を有し、前記制御部は前記画像形成装置に設けられた前記表示部の表示を制御することを特徴とする請求項１乃至４のいずれか一項に記載の制御装置。
【請求項６】
前記制御部は、前記取得部により取得された記録材の幅サイズが前記読み出し部により読み出された記録材の幅サイズよりも小さい場合、前記画像形成装置に搭載されている定着器が交換されない限り、前記取得部により取得された幅サイズを有する記録材への画像形成動作の実行を禁止することを特徴とする請求項１乃至５のいずれか一項に記載の制御装置。
【請求項７】
前記制御部は、前記取得部により取得された記録材の幅サイズが前記読み出し部により読み出された記録材の幅サイズと同じ場合、画像形成動作を実行することを特徴とする請求項１乃至６のいずれか一項に記載の制御装置。
【請求項８】
前記定着器は、記録材に形成されたトナー像を熱及び圧力により定着するためのニップ部を形成する１対の回転体を有することを特徴とする請求項１乃至７の何れか一項に記載の制御装置。
【請求項９】
搭載されている定着器を記録材の幅サイズに対応する情報を示す指示部を備えた他の定着器に載せ替えて画像形成を行うことが可能な画像形成装置を制御する制御装置であって、
前記指示部が示す記録材の幅サイズに対応する情報を取得する第１の取得部と、
画像形成すべき記録材の幅サイズに対応する情報を取得する第２の取得部と、
前記第１の取得部により取得された情報と前記第２の取得部により取得された情報に基づいて前記画像形成装置の動作を制御する制御部と、を有し、
前記制御部は、前記第２の取得部により取得された記録材の幅サイズが前記第１の取得部により取得された記録材の幅サイズよりも小さい場合、画像形成動作を禁止し、前記第２の取得部により取得された記録材の幅サイズが前記第１の取得部により取得された記録材の幅サイズよりも大きい場合、画像形成動作を許可すべきか否かの選択を促すように表示部を制御することを特徴とする制御装置。
【請求項１０】
前記制御部は、前記第２の取得部により取得された記録材の幅サイズが前記第１の取得部により取得された記録材の幅サイズよりも小さい場合、前記定着器の交換を促すメッセージを前記表示部に表示させることを特徴とする請求項９に記載の制御装置。
【請求項１１】
前記制御部は、前記第２の取得部により取得された記録材の幅サイズが前記第１の取得部により取得された記録材の幅サイズよりも小さい場合、前記第２の取得部により取得された記録材の幅サイズと一致する記録材の幅サイズに対応する情報を示す指示部を備えた定着器への交換を促すメッセージを前記表示部に表示させることを特徴とする請求項１０に記載の制御装置。
【請求項１２】
前記制御部は、前記第２の取得部により取得された記録材の幅サイズが前記第１の取得部により取得された記録材の幅サイズよりも大きい場合、画像形成動作を許可させるためのキーと、画像形成動作を許可させないためのキーと、を前記表示部に表示させることを特徴とする請求項９乃至１１のいずれか一項に記載の制御装置。
【請求項１３】
前記画像形成装置は前記表示部を有し、前記制御部は前記画像形成装置に設けられた前記表示部の表示を制御することを特徴とする請求項９乃至１２のいずれか一項に記載の制御装置。
【請求項１４】
前記制御部は、前記第２の取得部により取得された記録材の幅サイズが前記第１の取得部により取得された記録材の幅サイズよりも小さい場合、前記画像形成装置に搭載されている定着器が交換されない限り、前記第２の取得部により取得された幅サイズを有する記録材への画像形成動作の実行を禁止することを特徴とする請求項９乃至１３のいずれか一項に記載の制御装置。
【請求項１５】
前記制御部は、前記第２の取得部により取得された記録材の幅サイズが前記第１の取得部により取得された記録材の幅サイズと同じ場合、画像形成動作を実行することを特徴とする請求項９乃至１４のいずれか一項に記載の制御装置。
【請求項１６】
前記指示部は、互いに異なる幅サイズの記録材を示す複数の部位と、前記複数の部位の中から１つを選択するための選択部と、を有し、前記第１の取得部は前記選択部により選択された部位に応じて記録材の幅サイズに対応する情報を取得することを特徴とする請求項９乃至１５の何れか一項に記載の制御装置。
【請求項１７】
前記選択部は、可動式のインジケータであることを特徴とする請求項１６に記載の制御装置。
【請求項１８】
前記定着器は、記録材に形成されたトナー像を熱及び圧力により定着するためのニップ部を形成する１対の回転体を有することを特徴とする請求項９乃至１７の何れか一項に記載の制御装置。
【請求項１９】
記録材にトナー像を形成する画像形成器と、
前記画像形成器により形成されたトナー像を記録材に定着する定着器と、
前記定着器の用途を制限すべく記録材の幅サイズに対応する情報を記憶する記憶部と、
前記記憶部に記憶された記録材の幅サイズに対応する情報を読み出す読み出し部と、
画像形成すべき記録材の幅サイズに対応する情報を取得する取得部と、
前記読み出し部により読み出された情報と前記取得部により取得された情報に基づいて前記画像形成器の動作を制御する制御部と、
表示部と、を有し、
前記制御部は、前記取得部により取得された記録材の幅サイズが前記読み出し部により読み出された記録材の幅サイズよりも小さい場合、画像形成動作を禁止し、前記取得部により取得された記録材の幅サイズが前記読み出し部により読み出された記録材の幅サイズよりも大きい場合、画像形成動作を許可すべきか否かの選択を促すように前記表示部を制御することを特徴とする画像形成装置。
【請求項２０】
前記制御部は、前記取得部により取得された記録材の幅サイズが前記読み出し部により読み出された記録材の幅サイズよりも小さい場合、前記定着器の交換を促すメッセージを前記表示部に表示させることを特徴とする請求項１９に記載の画像形成装置。
【請求項２１】
前記制御部は、前記取得部により取得された記録材の幅サイズが前記読み出し部により読み出された記録材の幅サイズよりも小さい場合、前記取得部により取得された記録材の幅サイズと一致する記録材の幅サイズに対応する情報を記憶する記憶部を備えた定着器への交換を促すメッセージを前記表示部に表示させることを特徴とする請求項２０に記載の画像形成装置。
【請求項２２】
前記制御部は、前記取得部により取得された記録材の幅サイズが前記読み出し部により読み出された記録材の幅サイズよりも大きい場合、画像形成動作を許可させるためのキーと、画像形成動作を許可させないためのキーと、を前記表示部に表示させることを特徴とする請求項１９乃至２１のいずれか一項に記載の画像形成装置。
【請求項２３】
前記記憶部は前記定着器に取り付けられていることを特徴とする請求項１９乃至２２の何れか一項に記載の画像形成装置。
【請求項２４】
前記制御部は、前記取得部により取得された記録材の幅サイズが前記読み出し部により読み出された記録材の幅サイズよりも小さい場合、前記画像形成装置に搭載されている定着器が交換されない限り、前記取得部により取得された幅サイズを有する記録材への画像形成動作の実行を禁止することを特徴とする請求項１９乃至２３のいずれか一項に記載の画像形成装置。
【請求項２５】
前記制御部は、前記取得部により取得された記録材の幅サイズが前記読み出し部により読み出された記録材の幅サイズと同じ場合、画像形成動作を実行することを特徴とする請求項１９乃至２４のいずれか一項に記載の画像形成装置。
【請求項２６】
前記定着器は、記録材に形成されたトナー像を熱及び圧力により定着するためのニップ部を形成する１対の回転体を有することを特徴とする請求項１９乃至２５の何れか一項に記載の画像形成装置。
【請求項２７】
記録材にトナー像を形成する画像形成器と、
前記画像形成器により形成されたトナー像を記録材に定着する定着器と、
前記定着器の用途を制限すべく記録材の幅サイズに対応する情報を示す指示部と、
前記指示部が示す記録材の幅サイズに対応する情報を取得する第１の取得部と、
画像形成すべき記録材の幅サイズに対応する情報を取得する第２の取得部と、
前記第１の取得部により取得された情報と前記第２の取得部により取得された情報に基づいて前記画像形成器の動作を制御する制御部と、
表示部と、を有し、
前記制御部は、前記第２の取得部により取得された記録材の幅サイズが前記第１の取得部により取得された記録材の幅サイズよりも小さい場合、画像形成動作を禁止し、前記制御部は、前記第２の取得部により取得された記録材の幅サイズが前記第１の取得部により取得された記録材の幅サイズよりも大きい場合、画像形成動作を許可すべきか否かの選択を促すように前記表示部に制御することを特徴とする画像形成装置。
【請求項２８】
前記制御部は、前記第２の取得部により取得された記録材の幅サイズが前記第１の取得部により取得された記録材の幅サイズよりも小さい場合、前記定着器の交換を促すメッセージを前記表示部に表示させることを特徴とする請求項２７に記載の画像形成装置。
【請求項２９】
前記制御部は、前記第２の取得部により取得された記録材の幅サイズが前記第１の取得部により取得された記録材の幅サイズよりも小さい場合、前記第２の取得部により取得された記録材の幅サイズと一致する記録材の幅サイズに対応する情報を示す指示部を備えた定着器への交換を促すメッセージを前記表示部に表示させることを特徴とする請求項２８に記載の画像形成装置。
【請求項３０】
前記制御部は、前記第２の取得部により取得された記録材の幅サイズが前記第１の取得部により取得された記録材の幅サイズよりも大きい場合、画像形成動作を許可させるためのキーと、画像形成動作を許可させないためのキーと、を前記表示部に表示させることを特徴とする請求項２７乃至２９のいずれか一項に記載の画像形成装置。
【請求項３１】
前記指示部は、互いに異なる幅サイズの記録材を示す複数の部位と、前記複数の部位の中から１つを選択するための選択部と、を有し、前記第１の取得部は前記選択部により選択された部位に応じて記録材の幅サイズに対応する情報を取得することを特徴とする請求項２７乃至３０の何れか一項に記載の画像形成装置。
【請求項３２】
前記選択部は、可動式のインジケータであることを特徴とする請求項３１に記載の画像形成装置。
【請求項３３】
前記制御部は、前記第２の取得部により取得された記録材の幅サイズが前記第１の取得部により取得された記録材の幅サイズよりも小さい場合、前記画像形成装置に搭載されている定着器が交換されない限り、前記第２の取得部により取得された幅サイズを有する記録材への画像形成動作の実行を禁止することを特徴とする請求項２７乃至３２のいずれか一項に記載の画像形成装置。
【請求項３４】
前記制御部は、前記第２の取得部により取得された記録材の幅サイズが前記第１の取得部により取得された記録材の幅サイズと同じ場合、画像形成動作を実行することを特徴とする請求項２７乃至３３のいずれか一項に記載の画像形成装置。
【請求項３５】
前記定着器は、記録材に形成されたトナー像を熱及び圧力により定着するためのニップ部を形成する１対の回転体を有することを特徴とする請求項２７乃至３４の何れか一項に記載の画像形成装置。
【請求項３６】
表示部を有し、搭載されている定着器を記録材の幅サイズに対応する情報を記憶する記憶部を備えた他の定着器に載せ替えて画像形成を行うことが可能な画像形成装置を制御する制御装置であって、
前記記憶部に記憶された記録材の幅サイズに対応する情報を読み出す読み出し部と、
画像形成すべき記録材の幅サイズを複数の選択肢の中から選択させるための表示が行われるよう前記表示部を制御する制御部と、を有し、
前記制御部は、前記読み出し部により読み出された記録材の幅サイズよりも小さい幅サイズの記録材の選択を不可にし、前記読み出し部により読み出された記録材の幅サイズと同じ及び前記読み出し部により読み出された記録材の幅サイズよりも大きい幅サイズの記録材の選択を可能とすることを特徴とする制御装置。
【請求項３７】
表示部を有し、搭載されている定着器を記録材の幅サイズに対応する情報を示す指示部を備えた他の定着器に載せ替えて画像形成を行うことが可能な画像形成装置を制御する制御装置であって、
前記指示部が示す記録材の幅サイズに対応する情報を取得する取得部と、
画像形成すべき記録材の幅サイズを複数の選択肢の中から選択させるための表示が行われるよう前記表示部を制御する制御部と、を有し、
前記制御部は、前記取得部により取得された記録材の幅サイズよりも小さい幅サイズの記録材の選択を不可にし、前記取得部により取得された記録材の幅サイズと同じ及び前記取得部により取得された記録材の幅サイズよりも大きい幅サイズの記録材の選択を可能とすることを特徴とする制御装置。
【発明の詳細な説明】
【技術分野】
【０００１】
本発明は、制御装置、及び、画像形成装置に関する。
【背景技術】
【０００２】
従来より、電子写真式の画像形成装置（例えば、複写機、プリンタ、ＦＡＸ、及びこれらの機能を複数備えた複合機）には、電子写真プロセスを利用して記録材に形成されたトナー像を定着する定着器が搭載されている。この定着器は、一対の回転体、例えば、定着ローラと加圧ローラにより形成されるニップ部で記録材を挟持搬送しながらトナー像を加熱する構成となっている。
【０００３】
ここで、定着ローラの表面の状態が画像のグロスに影響を与えることから、定着ローラの表面性を安定的に維持することが、これまで以上に重要になってきている。しかしながら、定着ローラの同じ位置に記録材の側端が当たり続けると、その部位が他の部位に比べて表面性が劣化してしまう傾向にある。
【０００４】
これは、記録材の側端が、その製造時、つまり、裁断時に微小に折り曲がった形状を為しているためであると考えられる。
【０００５】
このような背景において、同一幅サイズの記録材が連続して定着器に導入されると、記録材の両側端と接する定着ローラの部位に傷が付いてしまう（コバ傷とも呼ぶ）。
【０００６】
そして、このようなコバ傷が付いた状態において、上記の記録材よりも幅広の記録材に画像形成を行うと、コバ傷に対応する部位の画像のグロスが他の部位に比べて低下し、画像にグロスムラが生じてしまう恐れがある。
【０００７】
そこで、特許文献１に記載の装置では、定着ローラ表面を粗しローラにより摺擦することにより、定着ローラの表面性をその長手方向において均すことにより、画像にグロスムラが生じてしまうのを抑制しており、一般のユーザが満足できる優れた手法である。
【先行技術文献】
【特許文献】
【０００８】
【特許文献１】特開２００８−０４０３６５号公報
【発明の概要】
【発明が解決しようとする課題】
【０００９】
しかしながら、特許文献１に記載の手法では画像のグロスムラを十分に無くすことは困難であり、画像のグロス均一性に対するユーザの要求レベルが非常に高い場合には、このような手法により対処するのは困難である。本発明はこの課題を解決するものである。
【課題を解決するための手段】
【００１０】
本発明に係る制御装置の代表的な構成は、搭載されている定着器を記録材の幅サイズに対応する情報を記憶する記憶部を備えた他の定着器に載せ替えて画像形成を行うことが可能な画像形成装置を制御する制御装置であって、前記記憶部に記憶された記録材の幅サイズに対応する情報を読み出す読み出し部と、画像形成すべき記録材の幅サイズに対応する情報を取得する取得部と、前記読み出し部により読み出された情報と前記取得部により取得された情報に基づいて前記画像形成装置の動作を制御する制御部と、を有し、前記制御部は、前記取得部により取得された記録材の幅サイズが前記読み出し部により読み出された記録材の幅サイズよりも小さい場合、画像形成動作を禁止し、前記取得部により取得された記録材の幅サイズが前記読み出し部により読み出された記録材の幅サイズよりも大きい場合、画像形成動作を許可すべきか否かの選択を促すように表示部を制御することを特徴とする。
【００１１】
本発明に係る制御装置の他の代表的な構成は、搭載されている定着器を記録材の幅サイズに対応する情報を示す指示部を備えた他の定着器に載せ替えて画像形成を行うことが可能な画像形成装置を制御する制御装置であって、前記指示部が示す記録材の幅サイズに対応する情報を取得する第１の取得部と、画像形成すべき記録材の幅サイズに対応する情報を取得する第２の取得部と、前記第１の取得部により取得された情報と前記第２の取得部により取得された情報に基づいて前記画像形成装置の動作を制御する制御部と、を有し、前記制御部は、前記第２の取得部により取得された記録材の幅サイズが前記第１の取得部により取得された記録材の幅サイズよりも小さい場合、画像形成動作を禁止し、前記第２の取得部により取得された記録材の幅サイズが前記第１の取得部により取得された記録材の幅サイズよりも大きい場合、画像形成動作を許可すべきか否かの選択を促すように表示部を制御することを特徴とする。
【００１２】
本発明に係る制御装置の更に他の代表的な構成は、表示部を有し、搭載されている定着器を記録材の幅サイズに対応する情報を記憶する記憶部を備えた他の定着器に載せ替えて画像形成を行うことが可能な画像形成装置を制御する制御装置であって、前記記憶部に記憶された記録材の幅サイズに対応する情報を読み出す読み出し部と、画像形成すべき記録材の幅サイズを複数の選択肢の中から選択させるための表示が行われるよう前記表示部を制御する制御部と、を有し、前記制御部は、前記読み出し部により読み出された記録材の幅サイズよりも小さい幅サイズの記録材の選択を不可にし、前記読み出し部により読み出された記録材の幅サイズと同じ及び前記読み出し部により読み出された記録材の幅サイズよりも大きい幅サイズの記録材の選択を可能とすることを特徴とする。
【００１３】
本発明に係る画像形成装置の代表的な構成は、記録材にトナー像を形成する画像形成器と、前記画像形成器により形成されたトナー像を記録材に定着する定着器と、前記定着器の用途を制限すべく記録材の幅サイズに対応する情報を記憶する記憶部と、前記記憶部に記憶された記録材の幅サイズに対応する情報を読み出す読み出し部と、画像形成すべき記録材の幅サイズに対応する情報を取得する取得部と、前記読み出し部により読み出された情報と前記取得部により取得された情報に基づいて前記画像形成器の動作を制御する制御部と、表示部と、を有し、前記制御部は、前記取得部により取得された記録材の幅サイズが前記読み出し部により読み出された記録材の幅サイズよりも小さい場合、画像形成動作を禁止し、前記取得部により取得された記録材の幅サイズが前記読み出し部により読み出された記録材の幅サイズよりも大きい場合、画像形成動作を許可すべきか否かの選択を促すように前記表示部を制御することを特徴とする。
【００１４】
本発明に係る画像形成装置の他の代表的な構成は、記録材にトナー像を形成する画像形成器と、前記画像形成器により形成されたトナー像を記録材に定着する定着器と、前記定着器の用途を制限すべく記録材の幅サイズに対応する情報を示す指示部と、前記指示部が示す記録材の幅サイズに対応する情報を取得する第１の取得部と、画像形成すべき記録材の幅サイズに対応する情報を取得する第２の取得部と、前記第１の取得部により取得された情報と前記第２の取得部により取得された情報に基づいて前記画像形成器の動作を制御する制御部と、表示部と、を有し、前記制御部は、前記第２の取得部により取得された記録材の幅サイズが前記第１の取得部により取得された記録材の幅サイズよりも小さい場合、画像形成動作を禁止し、前記制御部は、前記第２の取得部により取得された記録材の幅サイズが前記第１の取得部により取得された記録材の幅サイズよりも大きい場合、画像形成動作を許可すべきか否かの選択を促すように前記表示部に制御することを特徴とする。
【発明の効果】
【００１７】
本発明によれば、前記の課題を解決することができる。
【図面の簡単な説明】
【００１８】
【図１】図２の画像形成装置における定着器の部分の拡大模式図
【図２】実施例１における画像形成装置の概略構成を示した模式図
【図３】制御系統の大略のブロック図
【図４】制御フローチャート
【図５】操作部の情報表示の説明図
【図６】定着ローラのコバ傷と記録材の関係図
【図７】実施例２における制御フローチャート
【図８】実施例２における操作部の情報表示の説明図
【図９】メモリ以外の他の例の説明図（実施例３）
【図１０】メモリ以外の他の例の説明図（実施例３）
【発明を実施するための形態】
【００１９】
以下に、本発明の実施例を説明するが、実施例は本発明における最良の実施形態の一例ではあるものの、本発明は実施例により限定されるものではない。
【００２０】
［実施例１］
〔画像形成装置の全体的な構成〕
図２は本実施例における画像形成装置１の概略構成を示した模式図である。この画像形成装置１は中間転写方式で両面画像形成機能を有した電子写真フルカラープリンタである。画像形成装置１の装置本体（画像形成装置本体）１Ａの内部には、画像形成器として、例えばＹ（イエロー），Ｍ（マゼンタ），Ｃ（シアン），Ｋ（ブラック）の各色に対応する４つの画像形成部２Ｙ，２Ｍ，２Ｃ，２Ｋが直列に配置されている。すなわち、画像形成器として、可視像化までのプロセスをＹ，Ｍ，Ｃ，Ｋの各色で並列処理するタンデム方式が採用されている。
【００２１】
以下、記述の煩雑化を防ぐために、Ｙ，Ｍ，Ｃ，Ｋの各色の４つの画像形成部を符号２で代表させて説明するものとし、関連する次の各プロセス手段についても同様とする。また、Ｙ，Ｍ，Ｃ，Ｋの各色の画像形成部２の配列順序はそれに限定されない。
【００２２】
各画像形成部２では以下の各電子写真プロセス手段が備わっている。すなわち、Ｙ，Ｍ，Ｃ，Ｋの各色に対応して表面に静電潜像を担持する感光体（像担持体）３と、一次帯電装置４と、露光装置５と、現像装置６と、クリーニング手段７と、が備わっている。
【００２３】
一次帯電装置４は対応する感光体３の表面を設定された電位の帯電バイアス電圧を印加して一様に帯電する。その感光体３の表面が露光装置５によって画像情報パターンに対応して露光されることで静電潜像を形成される。静電潜像は現像装置６によってトナー（現像剤）により現像され、トナー画像（トナー像）として可視画像化される。
【００２４】
各画像形成部２の感光体３の表面に形成して担持されたＹ，Ｍ，Ｃ，Ｋの各色のトナー画像は、一次転写装置８によって無端状ベルトによる中間転写体９の上に順次に重ねて一次転写される。感光体３上の一次転写残留トナーはクリーニング装置７で除去される。
【００２５】
Ｙ，Ｍ，Ｃ，Ｋ全色のトナー画像が重畳されて中間転写体９上に形成された未定着のフルカラートナー画像は、その後に二次転写装置１０によって、給送部１１から当該二次転写装置１０に給送された記録媒体としての記録材Ｐに一括して二次転写される。
【００２６】
記録材（以下、用紙と記す）Ｐは、画像形成可能なシート状部材であり、普通紙、光沢紙、ＯＨＰ用紙などの樹脂製シート、厚紙、封筒、はがき、ラベルなどが挙げられる。本実施例の画像形成装置１においては、給送部１１は、それぞれ用紙Ｐが収納されている上下２段の用紙カセット１２、１３を有している。そして、予め選択指定された幅サイズの用紙Ｐが収容されている用紙カセットの給送部材が駆動されて当該カセット内の用紙Ｐが１枚分離給送され搬送路ａを通って二次転写装置１０へ搬送される。
【００２７】
ここで、用紙Ｐの幅サイズとは、用紙面において用紙の搬送方向Ｘ（図１）に直交する方向の用紙寸法である。本実施例の画像形成装置１では、用紙Ｐの幅サイズに依らず、用紙Ｐの幅方向中心位置が定着器１００の幅方向中心位置とほぼ一致するように、定着器１００へ用紙が導入される。
【００２８】
二次転写装置１０を通った用紙Ｐは中間転写体９から分離されて搬送装置１４により画像加熱装置としての定着器１００に導入される。定着器１００は、後述するように、定着ニップ部にて用紙Ｐを挟持搬送して未定着のトナー画像に熱と圧を加えることで固着画像として定着させる。
【００２９】
片面画像形成モードである場合には、定着器１００を出た用紙Ｐはフラグ１５により進路が搬送路ｂ側にされて片面画像形成のフルカラー画像形成物（成果物）として排出ローラ１６により排出トレイ１７上に排出される。
【００３０】
両面画像形成モードである場合には、定着器１００を出た１面目に対する画像形成済みの用紙Ｐはフラグ１５により進路が両面搬送パス機構１８側にされる。そして、当該機構１８の搬送路ｃへ導入されてからスイッチバック搬送されて搬送路ｄを経由して表裏反転された状態で搬送路ａに再導入されて二次転写装置１０に送られる。これにより中間転写体９から用紙Ｐの２面目に対するトナー画像の二次転写がなされる。
【００３１】
以後は、その用紙Ｐが、片面画像形成モードの場合と同様に、搬送装置１４→定着器１００→搬送路ｂ→排出ローラ１６の経路を搬送されて両面画像形成のフルカラー画像形成物（成果物）として排出トレイ１７上に排出される。
【００３２】
〔定着器〕
図１は定着器１００の拡大模式図である。定着器１００は、定着ユニットとして、画像形成装置１の装置本体１Ａの装着部５０に対して所定の要領（手順）にて取り外し可能に装着されている。定着器１００は装置本体１Ａの装着部５０に対して位置決め固定されて装着されており、この状態において、装置本体１Ａ側の制御部、電力供給部、駆動機構部等と所定に電気的、機械的に結合していて、装置本体側から電力供給や駆動力を受ける。
【００３３】
定着器１００は、未定着トナー画像Ｋを担持した用紙Ｐを挟持搬送するニップ部（定着ニップ部）Ｎを形成する一対（１対）の回転体、定着ローラ（定着部材）１０１と、加圧ローラ（対向部材、加圧部材）１０２を有している。また、定着ローラ１０１を外部から加熱する、支持ローラ１０３および１０４で回転可能に張架された外部加熱ベルト１０５を有する。また、定着ローラ１０１の表面を清掃するウエブクリーニング装置（不図示）を有する。
【００３４】
定着ローラ１０１は芯金の外周面に耐熱性樹脂の離型層が形成されており、駆動制御手段（モータ制御部）１０９にて回転速度制御される駆動モータ（駆動機構）１０８にて、矢印Ａの時計方向に所定の周速度で回転駆動されるようになっている。定着ローラ１０１の芯金の内部には、内部加熱発熱体としてハロゲンヒータ１１１が配置されて、定着ローラ１０１の表面温度が所定の温度となるように外部加熱ベルト１０５とともに定着ローラ１０１を加熱する。
【００３５】
加圧ローラ１０２は芯金の外周面に耐熱性弾性層が形成されており、定着ローラ１０１に対して平行に配列されている。そして、図示しない加圧手段により定着ローラ１０１に対して弾性層の弾性に抗して所定の圧力で加圧されることで定着ローラ１０１との間に用紙Ｐの搬送方向Ｘに関して所定幅の定着ニップ部Ｎを形成する。
【００３６】
加圧ローラ１０２は定着ローラ１０１の回転駆動に従動して矢印Ｂの反時計方向に定着ローラ１０１の周速度に対応した周速度で回転する。加圧ローラ１０２の芯金の内部には、発熱体としてハロゲンヒータ１１２が配置されて、加圧ローラ１０２の表面温度が所定の温度となるように内部から加熱される。
【００３７】
定着ローラ１０１の表面温度は定着ローラ１０１に接触する温度検知手段としてのサーミスタ１２１によって検出される。加圧ローラ１０２の表面温度は加圧ローラ１０２に接触するサーミスタ１２２によって検出される。サーミスタ１２１と１２２から出力される温度に関する電気的信号は、定着器１００に具備させた定着器基板（電子回路基板）１０７に一旦集約された後、温度制御（調整）手段としてのヒータ制御手段１０６に入力される。
【００３８】
ヒータ制御手段１０６は各サーミスタ１２１、１２２の検出温度に基づいて、各ハロゲンヒータ１１１、１１２をＯＮ／ＯＦＦすることで、定着ローラ１０１の表面温度、加圧ローラ１０２の表面温度が所定の目標温度になるよう制御している。
【００３９】
定着器基板１０７は、サーミスタ１２１、１２２の検知温度の他にも、次のような役割も担っている。即ち、加圧ローラを定着ローラに対し接離させる接離機構を動作させるモータの駆動制御、および接離機構の位置（加圧状態位置と加圧解除状態位置）を検知するセンサを動作させるための信号線、電源線を集約する役割も担っている。
【００４０】
定着ローラ１０１の回転駆動とそれに伴う加圧ローラ１０２の従動回転がなされ、また当該両ローラの表面温度が所定の温度に立ち上げられて温調される。この定着器状態において、二次転写装置１０を通り搬送装置１４で定着器１００へ搬送された用紙Ｐがガイド部材１１０にガイドされてニップ部Ｎに導入されて挟持搬送される。ニップ部Ｎに導入される用紙Ｐの未定着トナー画像Ｋの担持面は上向きであり、定着ローラ１０１に対面している。
【００４１】
このように、ニップ部Ｎにて用紙Ｐが挟持搬送されることで未定着トナー画像Ｋが熱と圧により固着画像として用紙面（記録材上）に定着される。ニップ部Ｎを出た用紙Ｐは定着ローラ１０１及び加圧ローラ１０２から分離されて定着排出ローラ１１３により定着器内から送り出される。ウエブクリーニング装置は定着ローラ１０１の表面のオフセットトナーを拭掃除去する。外部加熱機構１０３・１０４・１０５はニップ部Ｎよりも定着ローラ回転方向上流側で、ウエブクリーニング装置よりも下流側に配設されている。
【００４２】
本実施例においては、定着器の基板１０７に、定着器の用途を制限するための情報（使用条件に関する情報）を保持する保持部１１７が搭載されている。本実施例において、この保持部１１７は、ＲＯＭ、ＲＡＭ、フラッシュメモリなどに代表される不揮発性のメモリ（記憶部）である。
【００４３】
具体的には、上記の情報は、定着器に導入可能な記録材の特定の幅サイズに対応した情報であり、その情報がメモリ１１７のサイズ記憶領域７０３に記憶（保持）されている。即ち、サイズ記憶領域７０３には、画像のグロス均一性の要求レベルが高いユーザ向けに、そのユーザの要望に応じた記録材の特定の幅サイズ情報が格納される（記録材の幅サイズは、記録材の搬送方向Ｘに直交する方向の寸法、以下、専用幅サイズと記す）。つまり、このようなユーザ向けに、原則、特定の幅サイズの記録材専用の定着器を提供することが可能となる。
【００４４】
従って、画像形成装置１に搭載されている定着器を、画像形成すべき特定の記録材の幅サイズ用の定着器へ載せ替えることが可能（画像形成装置に着脱可能）となる。つまり、ユーザは、複数台の定着器を同時に所有することになる。
【００４５】
また、それらの定着器１００に、ユーザ（オペレータ）が視認しやすい個所に、メモリ１１７に格納された情報に対応する特定の幅サイズ（Ｗ）を示す目視可能な表記を有する識別部材１３０を設けても良い。
【００４６】
また、メモリ１１７への上記の情報の書き込みを、後述の表示部（タッチパネル）７０１Ａを通じて行うようにしても構わない。この場合、未使用の定着器１００を画像形成装置に載せ替えた後、画像形成を行う前に、メモリ１１７へ上記の情報の書き込みを行えば良い。
【００４７】
それら複数の定着器１００の内から、ユーザあるいはオペレータなどが定着ローラ１０１の表面に生じ得るコバ傷に起因した画像のグロスムラを十分に回避したい場合には次のようにする。即ち、定着器の用途を限定すべく特定の幅サイズの用紙（専用幅サイズ設定）用の定着器１００を選ぶ。
【００４８】
その選択は識別部材１３０の表記を見て行うことができる。そして、その定着器１００を装置本体１Ａの装着部５０に対して交換装着（載せ替え）して使用することが可能である。これにより、コバ傷に起因する画像不良の発生を確実に防止することが可能となる。
【００４９】
〔制御装置〕
図３は画像形成装置１の制御系統の大略のブロック図である。画像形成装置１の全体的な画像形成プロセス機構７０２のプリント動作（画像形成動作）はＣＰＵによって制御される中央制御部（制御部）７００により制御されている。
【００５０】
操作部７０１は記録材サイズ入力手段など各種情報入力手段として機能する。操作部７０１は、図５のように、表示部（情報表示部）７０１Ａと操作ボタン部７０１Ｂを有する。操作ボタン部７０１Ｂで画像形成装置１が行うプリント動作の各種設定が入力される。表示部７０１Ａはタッチパネル方式の液晶画面であり、各種のメッセージなどの情報表示がなされると共に、各種の操作ボタン（キー）の表示もなされる。表示された操作ボタンによっても画像形成装置１が行うプリント動作の各種設定を指示することができる。
【００５１】
定着器基板１０７は、定着器１００が装置本体１Ａの装着部５０に所定に装着されている状態において、装置本体１Ａ側の制御部７００と電気的に接続した状態となっている。そして、制御部７００の情報読み取り機能部（読み出し部、取得部）７００Ａは定着器基板１０７のメモリ（記憶部）１１７から記憶されている情報を読み出すことができる。本実施例においては、メモリ１１７のサイズ記憶領域７０３に予め記憶（保持）されている。つまり、定着器の使用条件に関する情報として、画像形成を行うべき特定の（用紙の）幅サイズに対応する情報を読み出すことができる。
【００５２】
図４はプリントジョブが入力された場合に制御部７００が行う制御のフローチャートである。操作部７０１より、ユーザによってプリントジョブ内容の入力操作が開始されると（Ｓ１）。そうすると、制御部７００の情報読み取り機能部７００Ａが装置本体１０１の装着部５０に現在装着されている定着器１００の定着器基板１０７のサイズ記憶領域７０３に記憶されている用紙の専用幅サイズＷを検知（認識）する（Ｓ２）。この専用幅サイズＷの検知は画像形成装置１の電源スイッチＳＷ（図３）が投入されたときに行わせることもできる。
【００５３】
制御部７００は情報読み取り機能部７００Ａが検知した定着器１００の専用幅サイズ情報を操作部７０１の表示部７０１Ａに表示するプログラム構成にすることもできる。
【００５４】
ユーザによってプリントジョブ内容の入力が進行し、使用する用紙Ｐの坪量、サイズ、枚数などが指定（印刷設定）されてジョブが投入される（Ｓ３）。この時、制御部（取得部の機能も有する）７００はステップＳ２で検知した専用幅サイズＷを参照し、ステップＳ３の印刷設定（プリントジョブ内容）で指定された用紙Ｐの幅サイズＷ２を取得する。
【００５５】
そして、幅サイズＷ２が専用幅サイズＷと一致するかを確認する（Ｓ４）。そして、幅サイズＷ２と専用幅サイズＷとが一致する場合は、制御部７００は入力されたプリントジョブ内容にてプリント動作を実行し（Ｓ５）、ジョブが完了したらプリント動作を停止する（Ｓ６、Ｓ７）。
【００５６】
一方、ステップＳ４において幅サイズＷ２が専用幅サイズＷと一致しない場合は、制御部７００は、幅サイズＷ２が専用幅サイズＷに対して大きいか、小さいかを判断する（Ｓ８）。
【００５７】
幅サイズＷ２が専用幅サイズＷより小さい場合、操作部７０１の表示部７０１Ａに図５の（ａ）の様に「このサイズの用紙は通紙できません」とエラーメッセージを表示する（Ｓ９）。即ち、幅サイズＷ２の用紙の選択を不可にする。つまり、画像形成動作が禁止され、表示部７０１Ａにおいて定着器の載せ替えが促がされる。
【００５８】
エラーの表示後、制御部７００は画像形成装置１を待機状態に保持する。ユーザは上記のエラー表示に基づいて装置本体１Ａに現在装着されている定着器１００を、ステップＳ１で入力した用紙の幅サイズＷ２に対応する専用幅サイズＷが設定されている定着器１００に交換して装着する載せ替え作業を行う（Ｓ１０）。制御部７００は定着器１００が交換されたら、ステップＳ２に戻り、その定着器１００のサイズ記憶領域７０３に記憶された専用幅サイズＷを検知し、上述した制御ステップを再実行する。
【００５９】
一方、ステップＳ８において用紙の幅サイズＷ２が専用幅サイズＷより大きい場合には、制御部７００は、操作部７０１の表示部７０１Ａに図５の（ｂ）の様に「画像に傷が入る場合があります」と警告を表示する（Ｓ１１）。また、この警告の表示とともに、操作部７０１の表示部７０１Ａに「ＯＫ」（画像形成動作を許可するキー）と「ＮＧ」（画像形成動作を許可しないキー）の選択ボタン（キー）をタッチパネルに表示して、ユーザの判断を仰ぐ（Ｓ１２）。
【００６０】
ユーザが「ＯＫ」を選択（許可の情報の入力）した場合、制御部７００はステップＳ１で入力されたプリントジョブ内容にてプリント動作を実行し（Ｓ５）、ジョブが完了したらプリント動作を停止する（Ｓ６、Ｓ７）。一方、ユーザが「ＮＧ」を選択（不許可の情報の入力）した場合は、ステップＳ９に移行して、操作部７０１の表示部７０１Ａに図５の（ａ）の様に「このサイズの用紙は通紙できません」とエラーを表示する。従って、画像形成動作が行われなくなる。
【００６１】
そして、制御部は、ステップＳ１で取得した用紙の幅サイズＷ２に一致する幅サイズＷがメモリ１１７に記憶されている定着器１００への交換を促すメッセージを表示部に表示する。その間（定着器の載せ替えが行われるまでの期間）、画像形成装置１を待機状態に保持する（Ｓ１０）。
【００６２】
ここで、サイズ記憶領域７０３に記憶された用紙の特定の幅サイズ、つまり、専用幅サイズＷは、ある１つの値ではなく、ある一定の範囲を持っていてもよい。例えば、専用で使用したい用紙Ｐの幅サイズＷ１、印刷設定で指定された用紙の幅サイズＷ２、用紙Ｐに画像形成を行わない領域幅Ｗ３（用紙の幅方向に関して画像形成領域の両側部それぞれの非画像形成領域の幅）とした場合、
Ｗ１≦Ｗ２≦Ｗ１＋２×Ｗ３
を満たしていれば、印刷設定で指定された幅サイズＷ２の用紙Ｐを通紙しても、専用で通紙したい用紙Ｐの幅サイズＷ１によるコバ傷は、プリントジョブで規定された用紙Ｐの非画像形成領域に該当するため、通紙をしても問題が無い。したがって、図４のステップＳ４の判断において、プリントジョブで規定された幅サイズＷ２が、
Ｗ１≦Ｗ２≦Ｗ１＋２×Ｗ３
を満たすことを、ステップＳ４において、幅サイズが一致すると判断する基準としてもよい。
【００６３】
本実施例を行うことによる効果を図６で説明する。定着器１００に設定された専用幅サイズＷと同じ幅サイズの用紙を大量に通紙した場合、図６の（ａ）のように、定着ローラ１０１の表面の専用幅サイズＷに対応する位置にローラ周方向に連続的に連なったコバ傷１０１ａが発生する。加圧ローラ１０２も同様であるため、割愛する。Ｙは用紙Ｐの中央基準搬送線（仮想線）である。
【００６４】
このようなコバ傷１０１ａが定着ローラ１０１の表面に発生している状態において、図６の（ｂ）のように、その定着器１００に設定された専用幅サイズＷと同一の幅サイズＷ２（Ｗ＝Ｗ２）を有する用紙Ｐが通紙される場合を考える。この場合は、定着ローラ１０１のコバ傷１０１ａはその用紙Ｐの画像形成領域幅Ｐａの外側に位置する。従って、その用紙Ｐの画像形成領域には定着ローラ１０１のコバ傷１０１ａの転写に起因する画像不良は発生しない。白抜き矢印は用紙Ｐの搬送方向を示している。
【００６５】
なお、定着ローラ１０１あるいは加圧ローラ１０２上にも幅Ｗの位置にしかコバ傷１０１ａ（１０２ａ）が発生しない為、それ以降に通紙される専用幅サイズＷに対応する幅サイズＷ２の用紙Ｐにも影響はない。
【００６６】
図６の（ｃ）は、定着器１００に設定された専用幅サイズＷよりも、印刷設定で指定された用紙の幅サイズＷ２の方が大きい場合（Ｗ＜Ｗ２）を示している。この場合は、その用紙Ｐの画像形成領域にはコバ傷１０１ａに起因する画像不良１０１ｂが発生する可能性がある。このような場合には、図４のステップＳ１１のように、ユーザの確認を得て、画像に傷１０１ｂが入り得ることが許容できる場合には、専用幅サイズＷよりも幅サイズＷ２が大きい用紙Ｐの通紙を許可する。
【００６７】
この時、定着ローラ１０１あるいは加圧ローラ１０２には、図６の（ｃ）のように、幅Ｗ２でコバ傷１０１ｃが発生し得る。しかし、図６の（ｂ）のように、定着器１００に設定された専用幅サイズＷに対応する幅サイズＷ２（Ｗ＝Ｗ２）を有する専用幅サイズの用紙Ｐを通紙する際には、その画像形成領域Ｐａにコバ傷１０１ａや１０１ｂの転写に起因する画像不良が発生しない。そのため、それ以降に通紙される所望の用紙Ｐに対しては影響ない。
【００６８】
次に、図６の（ｄ）に示すように、定着器１００に設定された専用幅サイズＷよりもプリントジョブで規定された使用用紙Ｐの幅サイズＷ２の方が小さい場合（Ｗ＞Ｗ２）を考える。この場合には、その用紙Ｐの画像形成領域にはコバ傷１０１ａに起因する画像不良は発生しない。
【００６９】
しかしながら、この用紙を通紙した場合、定着ローラ１０１あるいは加圧ローラ１０２上の幅Ｗ２の位置にコバ傷１０１ｄが発生してしまう。すなわち、それ以降に、専用幅サイズＷの用紙Ｐを通紙した際に、その用紙Ｐの画像形成領域には、コバ傷１０１ｄに起因する画像不良が発生してしまう可能性がある。
【００７０】
したがって、本実施例ではこのように定着器１００に設定された専用幅サイズＷよりも印刷設定で指定された用紙Ｐの幅サイズＷ２が小さい場合（Ｗ＞Ｗ２）は図４のステップＳ９のようにエラー表示してプリントジョブの遂行を禁止している。
【００７１】
上記の様に、画像形成装置１に使用される用紙Ｐのサイズ幅毎の専用幅サイズの設定を有する複数台の定着器１００を用意する。そして、制御装置は、画像形成装置１に搭載されている定着器１００の用途を制限するための用紙の専用幅サイズ情報と、印刷設定で指定された用紙の幅サイズ情報に応じて、画像形成動作を許可するか否かを制御する。
【００７２】
これにより、装置本体１Ａに載せ替える定着器１００の間違いや、ユーザの誤操作によって、定着器１００に関連付けられた用紙の専用幅サイズに対応する幅サイズ以外の用紙が通紙されることを防止できる。そのため、用紙Ｐの画像形成領域Ｐａ内にコバ傷に起因する画像不良が発生することを防止することができる。
【００７３】
また、ユーザにより印刷設定（プリントジョブ）で指定された用紙Ｐの幅サイズＷ２が定着器１００に関連付けられた用紙の専用幅サイズＷよりも大きい場合（Ｗ＜Ｗ２）には、画像に傷が発生する可能性があることを警告した上でユーザの判断を仰ぐ。例えば、画像傷が目立たない、気にしない様な成果物を出力したい場合には、定着器１００を交換することなく通紙を行うことが可能となる。従って、このような印刷を、待ち時間無く、実行することが可能となる。
【００７４】
なお、例えば、用紙Ｐとしてグロスの低い普通紙を用い、テキスト文書をプリントする場合には、定着ローラ１０１にコバ傷がある場合でも、定着した画像上ではコバ傷に起因する画像不良はほとんど視認できない。このため、サイズ記憶領域７０３にサイズ情報が記録されていない場合は、その定着器１００に対してすべての幅サイズの用紙Ｐを通紙可能とすることもできる。
【００７５】
［実施例２］
本実施例２において、画像形成装置１および定着器１００の構成および図３の制御系統のブロック図に関しては実施例１と共通の為、再度の説明は割愛する。図７の制御フローチャートを用いて本実施例２において、制御部７００にプリントジョブが入力された場合の制御動作について説明する。
【００７６】
画像形成装置１に電源スイッチＳＷ（図１）が投入されると（Ｓ１）、制御部７００は装置本体１Ａの装着部５０に現在装着されている定着器１００のサイズ記憶領域７０３に予め記憶されている専用幅サイズＷを検知（認識）する（Ｓ２）。
【００７７】
操作部７０１より、ユーザによって用紙Ｐの坪量、サイズ、枚数などを指定する印刷設定（プリントジョブ内容）が入力されてジョブが投入される（Ｓ３）。このとき、操作部７０１の表示部７０１Ａには、図８のように、用紙サイズを選択するための用紙サイズ選択画面が表示される。具体的には、制御部は、画像形成すべき用紙の幅サイズを複数の選択肢の中から１つを選択させるための表示が行われるよう表示部を制御する。
【００７８】
用紙サイズをステップＳ２で検知された専用幅サイズＷ以上の設定値しか選択可能に表示をしない。即ち、図８の様に、操作部７０１の表示部７０１Ａにおいて、用紙サイズ選択画面には、ステップＳ２で検知された専用幅サイズＷ未満の幅サイズの表示部はグレーアウト（選択を禁止）し、選択不能とする（Ｓ４）。
【００７９】
専用幅サイズＷよりも小さい用紙Ｐ（幅サイズＷ４）に画像形成を行いたい場合（Ｓ５）には、制御部７００は画像形成装置１を定着器１００の交換がなされるまで待機状態にする（Ｓ６）。即ち、装置本体１Ａの装着部５０に現在装着されている定着器１００が、ユーザにより、専用幅サイズＷが当該用紙Ｐの幅サイズＷ４と一致しているか、幅サイズＷ４よりも小さい設定の定着器１００に交換されるまで待機を続ける。定着器１００が交換されたら（Ｓ７）、ステップＳ２に戻る。
【００８０】
一方、ステップＳ５において、ユーザが使用したい用紙Ｐの幅サイズＷ４がステップＳ２で検知された専用幅サイズ以上の場合、ユーザは操作部７０１の表示部７０１Ａの図８の用紙サイズ選択画面上で使用したい用紙Ｐの幅サイズを選択することができる。
【００８１】
そして、ユーザが、ステップＳ２で検知された専用幅サイズＷと一致する幅サイズの用紙Ｐを選択した場合（Ｓ８のＹＥＳ）は、制御部７００はステップＳ３で入力されたプリントジョブ内容にてプリント動作を実行する（Ｓ９）。そして、ジョブが完了したらプリント動作を停止する（Ｓ１０、Ｓ１１）。
【００８２】
ステップＳ２で検知された専用幅サイズＷよりも大きい幅サイズの用紙Ｐを選択した場合（Ｓ８のＮＯ）には、制御部７００は、操作部７０１の表示部７０１Ａに前述した図５の（ｂ）の様に「画像に傷が入る場合があります」と警告を表示する（Ｓ１２）。また、この警告の表示とともに、操作部７０１の表示部７０１Ａに「ＯＫ」と「ＮＧ」の選択ボタンを表示して、ユーザの判断を仰ぐ（Ｓ１３）。
【００８３】
ユーザが「ＯＫ」を選択した場合、制御部７００はステップＳ３で入力されたプリントジョブ内容にてプリント動作を実行し（Ｓ９）、ジョブが完了したらプリント動作を停止する（Ｓ１０、Ｓ１１）。
【００８４】
一方、ユーザが「ＮＧ」を選択した場合は、ステップＳ１３に移行して、操作部７０１の表示部７０１Ａに前述した図５の（ａ）の様に「このサイズの用紙は通紙できません」とエラーを表示する。そして、装着部５０に現在装着されている定着器１００が、ステップＳ３で入力した使用する用紙の幅サイズＷ２に対応する専用幅サイズＷが設定されている定着器１００に交換されるまで、画像形成装置１を待機状態に保持する（Ｓ６、Ｓ７）。
【００８５】
本実施例２の制御によって得られる効果は、実施例１の制御によって得られる前述した効果と同様の為、再度の説明は割愛する。
【００８６】
［実施例３］
実施例１では、定着器１００の用途を限定するための情報（特定の記録材の幅サイズ情報）をメモリ１１７に保持させているが、本例では、この点が実施例１、２と異なる。その他の構成は、実施例１、２と同様であるので、詳細な説明は省略する。
【００８７】
図９は指示部として機械式のダイヤル３００を用いた例である。具体的には、（ａ）のように、定着器１００の前面部に専用幅サイズを設定するための可動式のダイヤル３００が取り付けられている。（ｂ）はそのダイヤル３００部分の部分的拡大模式図である。ユーザはこのダイヤル３００を回し、インジケータ（選択部）３００ａを用紙幅サイズラベル３００ｂの所望のラベル部分に合わせることで、定着器１００の専用幅サイズを任意に設定若しくは設定変更できるよう構成されている。
【００８８】
上記において、用紙幅サイズラベル３００ｂが互いに異なる幅サイズの用紙を示す複数の部位である。インジケータ３００ａがその複数の部位の中から１つを選択する選択部である。
【００８９】
例えば、インジケータ３００ａが（ｂ）のようにＡ４Ｒ（２１０ｍｍ）を表す用紙幅サイズラベル部分の位置に回される。そして、この定着器１００が装置本体１Ａの装着部５０に所定に装着されている状態時において、（ｃ）のように、装置本体１Ａ側に備えられた判別手段としてのセンサ７００Ｂによりダイヤル３００の位相が検知される。即ち、センサ７００Ｂはダイヤル３００の位相から定着器１００に設定された専用幅サイズを判別する。
【００９０】
制御部７００はセンサ７００Ｂの判別結果に基づいては実施例１に記載したと同様の画像形成装置の画像形成動作の制御を行う。
【００９１】
また、図１０は指示部として電気的な切り換えスイッチ（導電部材）３０１を用いることもできる。この例では、ダイヤル式の電気的な切り換えスイッチ３０１を回して、スイッチ３０１をそれぞれ各種の専用幅サイズに対応して配設されている複数の電気接点３００ｃのうち所望の電気接点３００ｃに電気的に接触させた状態にする。これにより、定着器１００に対して所望の専用幅サイズの情報を設定して若しくは設定変更して保持させることができる。
【００９２】
この定着器１００が装置本体１Ａの装着部５０に所定に装着されている状態時において、装置本体１Ａ側の制御部７００に備えられた取得部としての導通検知機能部７００Ｂによりスイッチ３０１と電気的に導通している電気接点３００ｃが検知される。即ち、導通検知機能部７００Ｂが定着器１００に設定された専用幅サイズを判別する。制御部７００は導通検知機能部７００Ｃの判別結果に基づいては実施例１に記載したと同様の画像形成装置の画像形成動作の制御を行う。
【００９３】
以上、本発明を適用可能な実施例について説明したが、本発明の思想の範囲内において、種々の構成を他の公知の構成に置き換えることが可能である。
【００９４】
例えば、画像形成装置１の画像形成プロセスは電子写真方式に限られない。静電記録方式、磁気記録方式など、他の公知の転写方式あるいは直接方式の画像形成原理・方式を用いて記録材に画像を形成する画像形成装置であってもよい。また、カラー画像形成装置に限られず、モノクロ画像などモノカラー（単色）の画像形成装置であってもよい。
【００９５】
例えば、定着器１００は、定着部材１０１と対向部材１０２のいずれか一方あるいは両方とも可撓性を有する無端状ベルト（エンドレスベルト）を用いたベルト定着方式の装置構成のものにすることもできる。
【００９６】
また、定着部材１０１や対向部材１０２の加熱機構はハロゲンヒータに限られない。セラミックヒータ方式、電磁誘導加熱方式などその他適宜の加熱手段、加熱方式を採用した装置構成にすることができる。
【符号の説明】
【００９７】
１・・画像形成装置、１Ａ・・画像形成装置本体、５０・・定着装置装着部、１００・・定着装置（定着器）、１０１・・定着部材、１０２・・対向部材、Ｎ・・ニップ部、Ｐ・・記録材、Ｋ・・画像、７００・・制御部、７０１・・操作部（記録材サイズ入力手段）、７０３・・記憶手段
【図１】
0006541396.tif 000002
【図２】
0006541396.tif 000003
【図３】
0006541396.tif 000004
【図４】
0006541396.tif 000005
【図５】
0006541396.tif 000006
【図６】
0006541396.tif 000007
【図７】
0006541396.tif 000008
【図８】
0006541396.tif 000009
【図９】
0006541396.tif 000010
【図１０】
0006541396.tif 000011